(57)【要約】      （修正有）【課題】身飾品を簡単に装着できる身飾品用補助具を提供する。【解決手段】身飾品用補助具１は、身飾品１００の一方の端部と着脱自在に連結される第一連結部３０と、身飾品１００の他方の端部と着脱自在に連結される第二連結部４０と、第一連結部３０と第二連結部４０を繋ぐ紐状又はチェーン状の長手部２０と、第一連結部３０の近傍等に設けられる第一係合部６０と、第二連結部４０の近傍等に設けられて第一係合部６０と着脱自在に係合可能な第二係合部８０を備えるようにした。第一連結部３０は、所謂カニカンと呼ばれる接続金具が採用されており、アーム３２を手動操作することで、リング３４が開閉自在となっている。第二連結部４０は、所謂ダルマと呼ばれる接続金具が採用されており、プレート材４２に開口４４が形成された穴付きプレートとなる。【選択図】図１
0003197869.tif 000002
【実用新案登録請求の範囲】
【請求項１】
紐状又はチェーン状の身飾品の一方の端部と着脱自在に連結される第一連結部と、
前記身飾品の他方の端部と着脱自在に連結される第二連結部と、
前記第一連結部と前記第二連結部を繋ぐ紐状又はチェーン状の長手部と、
前記第一連結部近傍又は前記長手部における前記第一連結部側に設けられる第一係合部と、
前記第二連結部近傍又は前記長手部における前記第二連結部側に設けられて前記第一係合部と着脱自在に係合可能な第二係合部と、
を備えることを特徴とする身飾品用補助具。
【請求項２】
前記第一係合部及び前記第二係合部の少なくとも一方が磁石を備えており、前記磁石の磁力によって前記第一係合部と前記第二係合部が係合することを特徴とする、
請求項１に記載の身飾品用補助具。
【請求項３】
前記第一連結部及び前記第二連結部の少なくとも一方は、手動により開閉自在なリングを有することを特徴とする、
請求項１又は２に記載の身飾品用補助具。
【請求項４】
前記長手部は１０センチメートル以上の長さを有し、
前記第一係合部は、前記第一連結部又は前記長手部の一方の端部から５センチメートル以内の範囲に設けられ、前記第二係合部は、前記第二連結部又は前記長手部の他方の端部から５センチメートル以内の範囲に設けられることを特徴とする、
請求項１乃至３のいずれかに記載の身飾品用補助具。
【請求項５】
紐状又はチェーン状の身飾品の一方の端部と着脱自在に連結される第一連結部と、
前記身飾品の他方の端部と着脱自在に連結される第二連結部と、
前記第一連結部と前記第二連結部を繋ぐ紐状又はチェーン状の長手部と、
前記第一連結部近傍と前記第二連結部近傍を互いに接近させた状態で位置決めする接近固定手段と、
を備えることを特徴とする身飾品用補助具。
【考案の詳細な説明】
【技術分野】
【０００１】
本考案は、ネックレス等の身飾品の装着を補助する道具に関する。
【背景技術】
【０００２】
身飾品としてのネックレスやブレスレットは、様々な場面で広く利用されている。ネックレスやブレスレッドは、例えば、チェーンの一方の端部に開閉自在の引き輪が設置され、他方の端部に所謂板だるまと称される穴付きプレートが設置される。従って、引き輪と穴付きプレートを連結することで、チェーンが環状となり、ネック、手首、足首等に装着できる。
【０００３】
しかし、引き輪と穴付きプレートは、美観の理由から極めてコンパクトに構成されることから、手作業による連結は常に困難を伴う。例えばネックレスの場合、手元が見えにくい状態で引き輪と穴付きプレートを連結しなければならない。ブレスレットの場合は片手で引き輪と穴付きプレートを連結しなければならない。
【０００４】
特に、片手が不自由であったり、手先が不自由であったりする利用者や、高齢者にとっては、この種の身飾品はその装着が困難であるため、使用したくても断念せざるを得ない。
【０００５】
そこで例えば特許文献１のように、チェーンの両端にそれぞれマグネットを設置し、この一対のマグネットの磁力によって両端を結合して、チェーンを環状にする接続補助部品が提案されている。
【先行技術文献】
【特許文献】
【０００６】
【特許文献１】特開２００８−３６３８８号公報
【考案の概要】
【考案が解決しようとする課題】
【０００７】
しかしながら、マグネットの場合、チェーンに外力が加わったりすると、連結状態が容易に開放されてしまうことから、高価なネックレスを紛失しやすいという問題があった。
【０００８】
また、チェーンの両端にマグネットを設けたとしても、例えば、片手が不自由な利用者等は、首にかけた状態で、自由端となる両端のマグネットを接近させて結合させること自体が難しいという問題があった。
【０００９】
本考案は、斯かる実情に鑑み、ネックレス等の身飾品の装着を容易にする補助具を提供しようとするものである。
【課題を解決するための手段】
【００１０】
上記目的を達成する手段は、紐状又はチェーン状の身飾品の一方の端部と着脱自在に連結される第一連結部と、前記身飾品の他方の端部と着脱自在に連結される第二連結部と、前記第一連結部と前記第二連結部を繋ぐ紐状又はチェーン状の長手部と、前記第一連結部近傍又は前記長手部における前記第一連結部側に設けられる第一係合部と、前記第二連結部近傍又は前記長手部における前記第二連結部側に設けられて前記第一係合部と着脱自在に係合可能な第二係合部と、を備えることを特徴とする身飾品用補助具である。
【００１１】
上記身飾品用補助具に関連して、前記第一係合部及び前記第二係合部の少なくとも一方が磁石を備えており、前記磁石の磁力によって前記第一係合部と前記第二係合部が係合することを特徴とすることが好ましい。
【００１２】
上記身飾品用補助具に関連して、前記第一連結部及び前記第二連結部の少なくとも一方は、手動により開閉自在なリングを有することを特徴とすることが好ましい。
【００１３】
上記身飾品用補助具に関連して、前記長手部は１０センチメートル以上の長さを有し、前記第一係合部は、前記第一連結部又は前記長手部の一方の端部から５センチメートル以内の範囲に設けられ、前記第二係合部は、前記第二連結部又は前記長手部の他方の端部から５センチメートル以内の範囲に設けられることを特徴とすることが好ましい。
【００１４】
上記目的を達成する手段は、紐状又はチェーン状の身飾品の一方の端部と着脱自在に連結される第一連結部と、前記身飾品の他方の端部と着脱自在に連結される第二連結部と、前記第一連結部と前記第二連結部を繋ぐ紐状又はチェーン状の長手部と、前記第一連結部近傍と前記第二連結部近傍を互いに接近させた状態で位置決めする接近固定手段と、を備えることを特徴とする身飾品用補助具である。
【考案の効果】
【００１５】
本考案によれば、身飾品を極めて容易に身体に着脱できるという優れた効果を奏し得る。
【図面の簡単な説明】
【００１６】
【図１】（Ａ）は本考案の実施形態に係る身飾品用補助具を示す正面図であり、（Ｂ）は同身飾品用補助具の第一及び第二係合部を拡大して示す図である。
【図２】同身飾品用補助具の利用手順を示す正面図である。
【図３】同身飾品用補助具の利用手順を示す正面図である。
【図４】同身飾品用補助具の利用手順を示す正面図である。
【図５】同身飾品用補助具の利用手順を示す正面図である。
【図６】同身飾品用補助具の応用例を示す正面図である。
【考案を実施するための形態】
【００１７】
以下、本考案の実施の形態を添付図面を参照して説明する。
【００１８】
図１（Ａ）に、本実施形態の身飾品用補助具１の全体構成を示す。なお、本実施形態では、身飾品用補助具１を、身飾品の一例となるネックレス１００に接続する事例を紹介する。
【００１９】
ネックレス１００は、宝飾品１１０と、宝飾品１１０の環状部材１１２に挿入されるチェーン１２０と、チェーン１２０の一方の端部に設けられるリング１３０と、チェーン１２０の他方の端部に設けられる引き輪１４０を有する。引き輪１４０は、アームを手動操作することによって輪の一部が開放する接続金具となる。通常は、このリング１３０と引き輪１４０を直接接続することでチェーン１２０が環状となり、利用者の首にかけられる。なお、本実施形態では、ネックレス１００がチェーン１２０を備える場合を例示しているが、本考案はチェーン１２０に限られず、金属の棒状、針金状、金属以外の樹脂や革を用いた糸状のように、所謂紐状の身飾品に適用することもできる。このチェーン状又は紐状の概念には、所定の幅を有する帯状（ベルト状）の概念も含む。
【００２０】
身飾品用補助具１は、第一連結部３０と、第二連結部４０と、第一連結部３０と第二連結部４０を繋ぐ紐状又はチェーン状の長手部２０と、第一係合部６０と、第二係合部８０を有する。
【００２１】
第一連結部３０は、ネックレス１００の一方の端部のリング１３０に着脱自在に接続される接続部材となる。第一連結部３０は、所謂カニカンと呼ばれる接続金具が採用されており、アーム３２を手動操作することで、リング３４が開閉自在となっている。従って、第一連結部３０は、リング３４を一時的に開放してリング１３０に連結される。なお、第一連結部３０はネックレス１００の一方の端部に接続可能な構造であればよく、カニカン以外にも例えば引き輪やその他の構造を採用することができる。
【００２２】
第二連結部４０は、ネックレス１００の他方の端部の引き輪１４０に着脱自在に接続される接続部材となる。第二連結部４０は、所謂ダルマと呼ばれる接続金具が採用されており、プレート材４２に開口４４が形成された穴付きプレートとなる。従って、ネックレス１００の引き輪１４０を一時的に開放することで第二連結部４０が連結される。なお、第二連結部４０はネックレス１００の他方の端部に接続可能な構造であればよく、所謂ダルマ以外にも例えばＣリング、カニカン、引き輪等の構造を採用することができる。
【００２３】
なお、本実施形態では、第一連結部３０及び第二連結部４０の少なくとも一方が、手動により開閉自在なリングとなることが好ましい。その理由として、ネックレス１００の一方の端部が、開閉不能なリング１３０となる場合が多いことから、このリング１３０と連結させる必要があるからである。
【００２４】
長手部２０は、ここでは１０センチメートル以上のチェーンとなるが、好ましくは２０センチメートル以上とし、湾曲又は屈曲自在となっている。長手部２０は両端にリング（例えばＣリング）２２、２４を備えており、一方のリング２２に第一連結部３０が連結され、他方のリング２４に第二連結部４０が連結される。なお、ここでは長手部２０がチェーン材となる場合を例示しているが、本考案はチェーン状に限られず、金属の棒状、針金状、金属以外の樹脂や革を用いた糸状のように、所謂紐状にすることもできる。このチェーン状又は紐状の概念には、所定の幅を有する帯状（ベルト状）の概念も含む。
【００２５】
第一係合部６０は、第二係合部８０と係合可能な部材であり、第一連結部３０の近傍又は長手部２０における中央よりも第一連結部３０側に設けられる。図１（Ｂ）に示すように、第一係合部６０は所謂マグネットクラスプのプラス又はマイナス側の一方であり、リング６６を有する筐体６２内に磁石６４を収容した構造となっている。この磁石６４の磁力によって第二係合部８０と着脱自在に係合（結合）される。
【００２６】
図１（Ａ）に戻って第一係合部６０は、第一連結部３０の近傍、即ち長手部２０の一方の端部に設けられるリング２２に連結される。なお、本考案はこれに限定されず、第一係合部６０が第一連結部３０に直接連結されたり、第一連結部３０に一体的に設けられたりしても良い。また、第一係合部６０は、長手部２０において端部から離れた領域Ａ内に設置されていてもよい。この領域Ａは、端部から５センチメートル程度の範囲内であることが好ましい。
【００２７】
第二係合部８０は、第一係合部６０と係合可能な部材であり、第二連結部４０の近傍又は長手部２０における中央よりも第二連結部４０側に設けられる。図１（Ｂ）に示すように、第二係合部８０は所謂マグネットクラスプのプラス又はマイナス側の他方であり、リング８６を有する筐体８２内に磁石８４を収容した構造となっている。この磁石８４の磁力によって第一係合部６０と着脱自在に係合（結合）される。
【００２８】
図１（Ａ）に戻って第二係合部８０は、第二連結部４０の近傍、即ち長手部２０の他方の端部に設けられるリング２４に連結される。なお、本考案はこれに限定されず、第二係合部８０が第二連結部４０に直接連結されたり、第二連結部４０に一体的に設けられたりしても良い。また、第二係合部８０は、長手部２０において端部から離れた領域Ｂ内に設置されていてもよい。この領域Ｂは、端部から５センチメートル程度の範囲内であることが好ましい。
【００２９】
なお、本実施形態では、第一係合部６０と第二係合部８０が磁力によって着脱自在に係合する場合を例示しているが、互いに着脱自在な構造であればよく、例えば、フック、クリップ、引き輪、カニカン等の構造を採用することも可能である。
【００３０】
次に、本実施形態の身飾品用補助具１の使用方法の例について説明する。
【００３１】
図１に示すように、ネックレス１００を首にかける前に、予め、ネックレス１００に対して身飾品用補助具１を接続する。結果、チェーン１２０と長手部２０によって、ネックレス１００単体よりも大幅に長い環状の連結チェーンＣが構成される。この状態で、図２に示すように、ネックレス１００と身飾品用補助具１を自分の首にかける。全体が長くなっているので、手が不自由な利用者であっても、片手で簡単に首にかけることができる。ちなみに、長いネックレスを好む利用者は、このまま身飾品として利用することもできる。
【００３２】
その後、図２の矢印Ｐに沿って、連結チェーンＣを首の回りに回転させることで、図３に示すように、利用者の前身頃側に身飾品用補助具１の全体を位置させる。これに伴い、ネックレス１００のチェーン１２０の一部は利用者の背面側に移動する。この動作も、利用者が片手で簡単に行うことができる。なお、首回りに回転させなくても、身飾品用補助具１が予め前身頃側に位置するようにしてから、首にかけるようにしても良い。
【００３３】
その後、図３の矢印Ｑに沿って、第一係合部６０と第二係合部８０を接近させて結合させる。結果、図４に示すように、連結チェーンＣにおいて、身飾品用補助具１側の長手部２０の両端近傍が、第一係合部６０と第二係合部８０によって短絡されて小さい環状となる。結果、連結チェーンＣの環状の全体長さは、ネックレス１００のチェーン１２０の長さと殆ど一致する。なお、第一係合部６０と第二係合部８０が磁力によって結合できるので、一方を他方に接近させる動作も利用者が片手で簡単に行うことができる。
【００３４】
更に図４の矢印Ｒに沿って、連結チェーンＣを首回りに逆回転させることで、身飾品用補助具１を背面側に位置させる。結果、図５に示すように、ネックレス１００のチェーン１２０中央が前身頃側に戻り、ネックレス１００単体を首に装着した状態と殆ど同じ状態にすることができる。また、身飾品用補助具１は背中側に隠すことができる。この動作も利用者が片手で簡単に行うことができる。
【００３５】
また更に、ネックレス１００を首から外したい場合は、図５の状態のまま、チェーン１２０を片手で引っ張れば、第一係合部６０と第二係合部８０の磁力結合が開放され、簡単に図２の状態に戻すことができる。従って、連結チェーンＣを長くした状態で、頭部から外すことができるので、これも片手で簡単に行うことができる。
【００３６】
以上の通り、本実施形態の身飾品用補助具１によれば、連結チェーンＣを一時的に長くすることができるので、ネックレス１００を首にかけることが容易である。更に、利用者の前身頃側において、第一係合部６０と第二係合部８０を係合させることで、身飾品用補助具１の長手部２０を簡単に短絡させることができ、ネックレス１００の単体のチェーン１２０の長さに簡単に戻すことができる。従って、身飾品用補助具１を背面側に隠すことで、ネックレス１００の単体を装着した状態を同じ外観を簡単に得ることができる。
【００３７】
また、この身飾品用補助具１によれば、装着状態のネックレス１００のチェーン１２０に予定外の外力が生じることで、第一係合部６０と第二係合部８０の磁力結合が外れてしまったとしても、図２の状態に戻るだけであり、ネックレス１００を紛失する事態を回避できる。そして、図２から図４の動作を行えば、簡単に図５の状態に復帰することもできる。
【００３８】
なお、上記実施形態では、第一係合部６０と第二係合部８０を着脱自在に配置する場合を例示したが、本考案はこれに限定されない。例えば、第一連結部３０近傍と第二連結部近傍４０を互いに接近させた状態で位置決めする接近固定手段であれば、他の構造を採用できる。例えば図６（Ａ）に示すように、一対のスライド穴９２を有する接近固定手段９０の当該スライド穴９２に対して長手部２０を挿入配置しておき、一対のスライド穴９２の間の長手部２０を外側に引き出すことで、図６（Ｂ）に示すように、第一連結部３０近傍と第二連結部近傍４０を互いに接近させた状態で位置決めするように構成しても良い。
【００３９】
尚、本考案の身飾品用補助具は、上記した実施の形態に限定されるものではなく、本考案の要旨を逸脱しない範囲内において種々変更を加え得ることは勿論である。
【符号の説明】
【００４０】
１    身飾品用補助具
２０    長手部
３０    第一連結部
４０    第二連結部
６０    第一係合部
８０    第二係合部
９０    接近固定手段
１００    ネックレス
１１０    宝飾品
１２０    チェーン
１３０    リング
１４０    引き輪
【図１】
0003197869.tif 000003
【図２】
0003197869.tif 000004
【図３】
0003197869.tif 000005
【図４】
0003197869.tif 000006
【図５】
0003197869.tif 000007
【図６】
0003197869.tif 000008